(57)【特許請求の範囲】
【請求項１】
光源としての複数のＬＥＤを実装した基板の両端に設けられた雌端子と、前記基板を包囲する管体の端部に設けられた口金本体と、該口金本体から突出された電源供給用の端子ピンと、該端子ピンに設けられて前記雌端子と係合する雄端子と、を備えた蛍光管の口金部構造であって、
前記口金本体は、前記端子ピンの突出側端面の裏面側に、前記基板の側面と底面とを支持して前記基板を挿入する際に前記雌端子を前記雄端子に向けて案内する側面ガイドと底面ガイドと、前記雌端子と接触しない位置で前記基板の上面を支持して前記基板を挿入する際に前記雌端子を前記雄端子に向けて案内する上面ガイドとを備え、
前記雌端子は、前記基板の上面であり挿入方向側端よりも奥に、予めハンダが供給された前記基板の上面に配置・加熱されるリフローハンダにより固定されており、前記基板を前記口金本体へ挿入する際は、少なくとも前記基板の底面および側面が前記口金本体の前記底面ガイドおよび前記側面ガイドに夫々接触し、その後前記基板を前記口金本体の前記底面ガイドおよび前記側面ガイドに沿ってスライド挿入することによって、前記基板の前記雌端子と前記口金本体の前記雄端子とが接触係合し、前記基板の挿入方向側端の全部または一部が前記口金本体に当接した状態においては、前記口金部本体の前記底面ガイド、前記側面ガイド、および前記上面ガイドによって前記基板が支持されていることを特徴とする蛍光管の口金部構造。
【請求項２】
前記雄端子は、前記端子ピンの突出端と反対側に一体に形成されていることを特徴とする請求項１に記載の蛍光管の口金部構造。
【請求項３】
前記雄端子は平板ピンであって、前記雌端子は該平板ピンを左右側面から挟接する接点部と、該接点部上方を覆う保護部とを有することを特徴とする請求項１または２に記載の蛍光管の口金部構造。
【請求項４】
請求項１乃至３の何れかに記載の口金部構造を有するＬＥＤ照明装置。
【発明の詳細な説明】
【技術分野】
【０００１】
本発明は、光源として複数のＬＥＤを用いた蛍光管の口金部構造およびこの口金部構造を有するＬＥＤ照明装置に関する。
【背景技術】
【０００２】
従来から、円筒状のガラス管の両端からガラス管の内部にアルゴンガスと水銀蒸気の混合気体を封入し、その混合気体を高圧放電させることで、ガス気体から発生した紫外線がガラス管の内面に塗布された蛍光材に照射されて白色に発光する蛍光管が周知である。
【０００３】
しかしながら、このような蛍光管は、消費電力が高いうえ、寿命が短いという問題があった。また、寿命末期には輝度が低下したり発光時にちらつきが発生するという問題も生じていた。
【０００４】
そこで、省エネ化及び長寿命化を目的として、近年では従来の蛍光管に換わる新たな蛍光管として、多数の白色ＬＥＤを実装した蛍光管が各種提案されている。
【０００５】
この際、ＬＥＤ式の蛍光管は、混合気体を封入した現行の蛍光管と構造的に互換性を持たせ、現行の蛍光灯型照明装置のソケットにそのまま装着可能とすることが望ましいため、ソケットと口金との接点構造にはＪＩＳ規格に規定する構造を採用するのが好ましい。
【０００６】
この際、電源供給のために口金に設けられてソケットに係合する端子ピンとＬＥＤ光源を実装した基板とは、リード線によって接続されている（例えば、特許文献１参照）。
【先行技術文献】
【特許文献】
【０００７】
【特許文献１】特開２００８−２８２７９３号公報
【発明の概要】
【発明が解決しようとする課題】
【０００８】
しかしながら、上述した蛍光管の口金部構造にあっては、端子ピンと基板とをリード線で接続しているため、その接続作業や余剰のリード線を収納しつつ口金とガラス管とを接続しなければならず、組み付け作業が煩雑であるという問題が生じていた。
【０００９】
本発明は、上述のかかる事情に鑑みてなされたものであり、口金と基板との接続を容易に行うことができる蛍光管の口金部構造およびＬＥＤ照明装置を提供することを目的とする。
【課題を解決するための手段】
【００１０】
上記課題を解決するため、本発明の蛍光管の口金部構造は、光源としての複数のＬＥＤを実装した基板の両端に設けられた雌端子と、前記基板を包囲する管体の端部に設けられた口金本体と、該口金本体から突出された電源供給用の端子ピンと、該端子ピンに設けられて前記雌端子と係合する雄端子と、を備えた蛍光管の口金部構造であって、前記口金本体は、前記端子ピンの突出側端面の裏面側に、前記基板の側面と底面とを支持して前記基板を挿入する際に前記雌端子を前記雄端子に向けて案内する側面ガイドと底面ガイドと、前記雌端子と接触しない位置で前記基板の上面を支持して前記基板を挿入する際に前記雌端子を前記雄端子に向けて案内する上面ガイドとを備え、前記雌端子は、前記基板の上面であり挿入方向側端よりも所定間隔奥に、予めハンダが供給された前記基板の上面に配置・加熱されるリフローハンダにより固定されており、前記基板を前記口金本体へ挿入する際は、少なくとも前記基板の底面および側面が前記口金本体の前記底面ガイドおよび前記側面ガイドに夫々接触し、その後前記基板を前記口金本体の前記底面ガイドおよび前記側面ガイドに沿ってスライド挿入することによって、前記基板の前記雌端子と前記口金本体の前記雄端子とが接触係合し、前記基板の挿入方向側端の全部または一部が前記口金本体に当接した状態においては、前記口金部本体の前記底面ガイド、前記側面ガイド、および前記上面ガイドによって前記基板が支持されていることを特徴とする。
【００１１】
本発明では、基板に口金本体を組み付ける際に、口金本体の少なくとも側面ガイドと底面ガイドを用いて、これらのガイドに沿って基板を滑らせて押し込むことにより、リフローハンダ付けされた雌端子に過度な衝撃を加えることなく簡便な組み付け作業を可能にする。また、組み付け完了後は、さらに、上面、底面、側面から基板を支持することにより、基板の経年による変形を防ぐと共に、安定した接続状態を維持することができる。また、リフローによって、雌端子を面実装するので、基板底面を必要によって広く使うことができる。
【００１２】
また、本発明に係る蛍光管の口金部構造の雄端子は平板ピンであって、前記雌端子は該平板ピンを左右側面から挟接する接点部と、該接点部上方を覆う保護部とを有することを特徴とする。
【００１３】
本発明では、雄端子を平板ピンとしたとき、雌端子には接点上方を覆う平板状の保護部を設ける。これにより作業時の部品の破損を防止することができる。
【００１４】
さらに、この保護部を平板状とすることにより、製造時に部品搬送のための吸着箇所、あるいは握持箇所として利用することができるので、製造効率を上げることができる。
【００１５】
さらに、本発明に係る蛍光管の口金部構造の雄端子は、前記端子ピンの突出端と反対側に一体に形成された丸ピンまたは平板ピンであることを特徴とする。
【００１６】
本発明の蛍光管の口金部構造によれば、端子ピンと雄端子との接続を不要とすることができ、口金にインサート成形する際の位置決め等の容易化に貢献し得て、雌端子との接続も容易に行うことができる。
【００１７】
また、本発明の蛍光管の口金部構造の口金本体は、前記端子ピンの突出側端面の裏面側に開放する基板挿入開口を備え、該基板挿入開口は前記基板の側面と底面とを支持して前記基板を前記基板挿入開口から挿入した際に前記雌端子を前記雄端子に向けて案内する側面ガイドと底面ガイドとを備えていることを特徴とする。
本発明の蛍光管の口金部構造によれば、基板の挿入操作を容易に行うことができる。
【００１８】
さらに、前記口金本体は前記端子ピンの突出側端面の裏面側に開放する基板挿入開口を備え、該基板挿入開口は前記雌端子と接触しない位置で前記基板の上面を支持して前記基板を前記基板挿入開口から挿入した際に前記雌端子を前記雄端子に向けて案内する上面ガイドを備えていることを特徴とする。
【００１９】
本発明のＬＥＤ照明装置は、上述した口金部構造を有することを特徴とする。本発明によれば、作業性に優れ、安価なＬＥＤ照明装置を実現することができる。
【発明の効果】
【００２０】
本発明の蛍光管の口金部構造は、口金と基板との接続を容易に行うことができる。
【図面の簡単な説明】
【００２１】
【図１】本発明の第１の実施の形態による蛍光管の口金部構造を採用したＬＥＤ照明装置１０の説明図である。
【図２】本発明の第１の実施の形態による蛍光管の口金部構造における実施例１を示し、要部の斜視図である。
【図３】図２の雌端子１７の側面図（図３（Ａ））、正面（図３（Ｂ））、底面図（図３（Ｃ））である。
【図４】図２の口金１４の側面図（図４（Ａ））、背面図（図４（Ｂ））である。
【図５】図２の端子ピンの側面図である。
【図６】本発明の第１の実施の形態による蛍光管の口金部構造における実施例１を示し、基板装着前の要部の断面図である。
【図７】本発明の第１の実施の形態による蛍光管の口金部構造における実施例１を示し、基板装着後の要部の断面図である。
【図８】本発明の第１の実施の形態による蛍光管の口金部構造における実施例２を示し、要部の斜視図である。
【図９】図８の雌端子２７の側面図（図９（Ａ））、正面図（図９（Ｂ））、底面図（図９（Ｃ））である。
【図１０】図８の口金１４の側面図（図１０（Ａ））、背面図（図１０（Ｂ））である。
【図１１】図８の端子ピンの平面図（図１１（Ａ））、正面図（図１１（Ｂ））、断面図（図１１（Ｃ））である。
【図１２】本発明の第１の実施の形態に係る蛍光管の口金部構造における実施例２を示し、基板装着前の要部の断面図である。
【図１３】本発明の第１の実施の形態に係る蛍光管の口金部構造における実施例２を示し、基板装着後の要部の断面図である。
【図１４】本発明の第２の実施の形態による蛍光管の口金部構造を採用したＬＥＤ照明装置１０の説明図である。
【図１５】図１４のＬＥＤ照明装置用基板５２の平面図（図１５（Ａ））、正面図（図１５（Ｂ））、底面図（図１５（Ｃ））、左側面図（図１５（Ｄ））、右側面図（図１５（Ｅ））を示す。
【図１６】図１５のＬＥＤ照明装置用基板５２の要部であり、図１５のＡ−Ａ部分の拡大斜視図である。
【図１７】図１５の雌端子３７の平面図（図１７（Ａ））、正面図（図１７（Ｂ））、側面図（図１７（Ｃ））である。
【図１８】本発明の第２の実施の形態による丸ピン３６側の口金本体３５の平面図（図１８（Ａ））、正面図（図１８（Ｂ））、底面図（図１８（Ｃ））、左側面図（図１８（Ｄ））、右側面図（図１８（Ｅ））である。
【図１９】本発明の第２の実施の形態による丸ピン３６側の口金３４の左側面図（図１９（Ａ））、正面図（図１９（Ｂ））、右側面図（図１９（Ｃ））である。図１９（Ｂ）において、管体待保持部３５ｂは断面図で表している。
【図２０】図１６の平面図（図２０（Ａ））、正面図（図２０（Ｂ））左側面図（図２０（Ｃ））、右側面図（図２０（Ｄ））である。
【図２１】本発明の第２の実施の形態による丸ピンの平面図（図２１（Ａ））、正面図（図２１（Ｂ））、左側面図（図２１（Ｃ））、右側面図（図２１（Ｄ））である。
【図２２】本発明の第２の実施の形態によるＬＥＤ照明装置用基板５２の口金本体３５への組み付け方の説明図である。
【図２３】図１５のＬＥＤ照明装置用基板５２の要部であり、図１５のＢ−Ｂ部分の拡大斜視図である。
【図２４】図１５の雌端子４７の平面図（図２４（Ａ））、正面図（図２４（Ｂ））、側面図（図２４（Ｃ））である。
【図２５】本発明の第２の実施の形態による平板ピン４６側の口金４４の左側面図（図２５（Ａ））、正面図（図２５（Ｂ））、右側面図（図２５（Ｃ））である。図２５（Ｂ）において、管体待保持部４５ｂは断面図で表している。
【図２６】本発明の第２の実施の形態による平板ピン４６側の口金本体４５の平面図（図２６（Ａ））、正面図（図２６（Ｂ））、底面図（図２６（Ｃ））、左側面図（図８（Ｄ））、右側面図（図２６（Ｅ））である。
【図２７】本発明の第２の実施の形態によるＬＥＤ照明装置用基板５２の口金本体４５への組み付け方の説明図である。
【図２８】図２３の平面図（図２８（Ａ）），正面図（図２８（Ｂ）），左側面図（図２８（Ｃ））、右側面図（図２８（Ｄ））である。
【図２９】本発明の第２の実施の形態による平板ピンの平面図（図２９（Ａ））、正面図（図２９（Ｂ））、側面図（図２９（Ｃ））である。
【発明を実施するための形態】
【００２２】
次に、本発明の実施の形態に係る蛍光管の口金部構造について、図面を参照して説明する。尚、以下に示す実施例は本発明の蛍光管の口金部構造における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００２３】
図１は本発明の第１の実施の形態に係る蛍光管の口金部構造を採用したＬＥＤ照明装置の説明図である。
【００２４】
図１において、ＬＥＤ照明装置１０は、円筒形状の蛍光管管体（以下、単に「管体」という。）１１と、管体１１の内部に配置されて照明制御回路（図示せず）を実装した基板１２と、基板１２に設けられた複数のＬＥＤ（光源）１３と、管体１１の両端に設けられた口金１４と、を備えている。また、口金１４は、管体１１にインロー方式で装着された樹脂製の口金本体１５と、口金本体１５の端面から突出して図示を略する照明装置本体のソケットと係合する一対の端子ピン１６と、を備えている。
【００２５】
管体１１は、本実施の形態においては、光源にＬＥＤ１３を用いていることから、従来の混合気体を用いた場合と異なり内面に蛍光材を封入する必要がなく、且つ、耐熱性の確保も必要がないことから、無色透明、白色等の有色透明のガラス材である必要は無く、樹脂材等を用いても良い。また、本実施の形態においては、棒状の管体１１を用い、その両端に口金１４を配置したもので説明するが、環状の管体の両端に一つの口金（４ピン）を用いたタイプに適用することも可能である。
【００２６】
（実施例１）
次に、第１の実施の形態に係る蛍光管の口金部構造における実施例１を図２乃至図７に基づいて説明する。
【００２７】
基板１２は、周知のプリント配線基板を用いることができ、ＬＥＤ照明装置１０の長さや細さに応じて、適宜のものを複数枚接続することができる。また、基板１２の両端には、図２に示すように、基板１２の幅方向（管体１１の径方向）に所定間隔を存して一対の雌端子１７が設けられている。
【００２８】
この雌端子１７は、図３に示すように、基板１２に固定・接続されるベース１７ａと、ベース１７ａの両幅縁部から互いに接近するように立ち上がる一対の保持片１７ｂと、を一体に備え、これらにより断面略三角形状とされている。また、一対の保持片１７ｂの先端には、互いに離反する方向に折曲することで拡開する挿入部１７ｃが設けられている。さらに、雌端子１７は、予めハンダが供給された基板１２の上面に配置・加熱されるリフローハンダにより基板１２に固定されており、基板１２の配線部分とベース１７ａとが直接電気的に接続することで導電ピン等の位置決めや基板１２の裏面での固定作業といった面倒な作業を廃止している。
【００２９】
口金本体１５は、合成樹脂の一体成形により形成され、端子ピン１６をインサート成形により保持している。また、口金本体１５は、図４（Ａ）に示すように、端子ピン１６が突出する露出部１５ａと、管体１１の端部にインロー方式で嵌め合い支持される保持部１５ｂと、管体１１の端部との位置決めを行う環状の鍔部１５ｃと、が一体に形成されている。また、管体１１の内部側に位置する端面、即ち、保持部１５ｂの端面には、図４（Ｂ）に示すように、基板１２が挿入される基板挿入開口１５ｄが開口形成されている。
【００３０】
この基板挿入開口１５ｄは、基板１２の両側面を支持する側面ガイド１５ｅと、基板１２の底面を支持する底面ガイド１５ｆと、基板１２の上面を支持する上面ガイド１５ｇと、が形成されており、基板１２を基板挿入開口１５ｄに挿入した際に基板１２の各面を各ガイド１５ｅ，１５ｆ，１５ｇで支持することで、基板１２が基板挿入開口１５ｄの適正位置で挿入される。また、基板挿入開口１５ｄには、端子ピン１６と電気的に接続状態にある雄端子１８が配置されている。この雄端子１８は、各ガイド１５ｅ，１５ｆ，１５ｇから離間し、少なくともその先端は基板挿入開口１５ｄから浮いた状態で口金本体１５に保持されている。尚、図４において、管体１１及び基板１２は、説明の便宜上隙のある状態で図示しているが、実際には相互は密着状態となる。また、基板挿入開口１５ｄの開口形状等は、インサート成形時の樹脂材料が硬化する際のヒケ防止用孔１５ｈを形成する等、基板１２の端部形状や雌端子１７の形状等に応じて各ガイド１５ｅ，１５ｆ，１５ｇ及び雄端子１８の設計事項を決定することができる。さらに、各ガイド１５ｅ，１５ｆ，１５ｇは、奥行き方向に伸びる壁面で構成されている。この際、上面ガイド１５ｇは雌端子１７の間に位置して形成されている。
【００３１】
端子ピン１６は、本実施の形態においては、図５に示すように、導電性の材料から中空又は中実の丸ピン形状の雄端子１８が一体に形成されている。また、端子ピン１６と雄端子１８との境界部分には、例えば、端子ピン１６をソケットに挿入する際や、雌端子１７に雄端子１８を挿入する際の軸線方向に沿う荷重に対して口金本体１５からズレたり脱落することを防止するため、フランジ部１９が一体に形成されている。
【００３２】
上記の構成において、図６に示すように、基板１２を基板挿入開口１５ｄに挿入すると、基板１２の両側面が側面ガイド１５ｅに支持されると共に、基板１２の上面及び底面が底面ガイド１５ｆ及び上面ガイド１５ｇに支持されつつ、基板挿入開口１５ｄの奥行き方向に基板１２がガイドされる。
【００３３】
そして、基板１２を基板挿入開口１５ｄの奥行き方向にさらに押し込むと、図７に示すように、雌端子１７に雄端子１８が挿入されると共に、基板１２が基板挿入開口１５ｄの後壁に当接することにより奥行き方向の位置決めが完了し、基板１２と口金１４との組み付け及び端子ピン１６、雄端子１８、雌端子１７、基板１２の導通状態が確保される。
【００３４】
本実施例によれば、リフローハンダにより雌端子１７を固定化することにより滑らかな挿入を可能にしている。また、底面ガイド１５ｆと雄端子１８とで、ベース１７ａと基板１２とを適度な圧力をもって押圧せしめることが可能となる。これにより接着強度を維持することができ、信頼性の高い口金を実現することができる。
【００３５】
（実施例２）
次に、第１の実施形態に係る蛍光管の口金部構造における実施例２を図８乃至図１３に基づいて説明する。尚、図８乃至図１３において、上記実施例１と実質的に同一の構成には同一の符号を付して、その説明を省略する。
【００３６】
基板１２の両端には、図８に示すように、基板１２の幅方向（管体１１の径方向）に所定間隔を存して一対の雌端子２７が設けられている。
【００３７】
この雌端子２７は、図９に示すように、基板１２に固定・接続されるベース２７ａと、ベース２７ａの両幅縁部から略垂直に立ち上がる一対の縦壁２７ｂと、縦壁２７ｂの上縁から互いに下方内向きに接近する一対の保持片２７ｃと、を一体に備えている。尚、雌端子２７は、リフローハンダにより基板１２に固定されている。
【００３８】
口金本体１５は、合成樹脂の一体成形により形成され、端子ピン１６をインサート成形により保持している。また、口金本体１５は、図１０（Ａ）に示すように、露出部１５ａと、保持部１５ｂと、鍔部１５ｃと、が一体に形成されている。また、管体１１の内部側に位置する端面、即ち、保持部１５ｂの端面には、図１０（Ｂ）に示すように、基板１２が挿入される基板挿入開口１５ｄが開口形成されている。
【００３９】
端子ピン１６は、本実施の形態においては、図１１に示すように、導電性の材料から板状の平板ピン形状に形成された雄端子２８が一体に形成されている。また、端子ピン１６と雄端子２８との境界部分には、例えば、端子ピン１６をソケットに挿入する際や、雌端子２７に雄端子２８を挿入する際の軸線方向に沿う荷重に対して口金本体１５からズレたり脱落することを防止するため、鍔部２９と突起部３０とが一体に形成されている。
【００４０】
上記の構成において、図１２に示すように、基板１２を基板挿入開口１５ｄに挿入すると、基板１２の両側面が側面ガイド１５ｅに支持されると共に、基板１２の上面及び底面が底面ガイド１５ｆ及び上面ガイド１５ｇに支持されつつ、基板挿入開口１５ｄの奥行き方向に基板１２がガイドされる。
【００４１】
そして、基板１２を基板挿入開口１５ｄの奥行き方向にさらに押し込むと、図１３に示すように、雌端子２７に雄端子２８が挿入されると共に、基板１２が基板挿入開口１５ｄの後壁に当接することにより奥行き方向の位置決めが完了し、基板１２と口金１４との組み付け及び端子ピン１６、雄端子２８、雌端子２７、基板１２の導通状態が確保される。
【００４２】
このように、本発明の実施の形態による蛍光管の口金部構造にあっては、単に基板１２を口金１４の基板挿入開口１５ｄに挿入するだけで、基板１２と口金１４との位置決め状態での組み付けと端子ピン１６から基板１２に至る導通状態（接続状態）を容易に確保することができる。
【００４３】
次に本発明の第２の実施の形態を説明する。
図１４は第２の実施の形態による蛍光管の口金部構造を採用したＬＥＤ照明装置の説明図である。
【００４４】
図１４において、ＬＥＤ照明装置１０は、図１と同様に円筒形状の蛍光管管体（以下、単に「管体」という。）１１と、管体１１の内部に配置されて照明制御回路（図示せず）や複数のＬＥＤ（光源）１３などの部品を実装したＬＥＤ照明装置用基板５２と、管体１１の両端に設けられた口金３４，４４と、を備えている。本実施の形態による口金３４，４４の端面から突出する端子ピンは、両端面で異なり、一方は一つの丸ピン３６（アース側）、他方は先端部が略９０度に両外側に屈曲形成された２つの平ピン４６（給電側）となっている。それぞれの端子ピンは、図示を略する照明装置本体のソケットと係合し、使用時において電源が供給される。また、ＬＥＤ照明装置用基板５２には、各端子ピン３６，４６と係合する雌端子３７，４７が取り付けられている。
【００４５】
ＬＥＤ照明装置用基板５２は、図１５（Ｂ）に示すように、基板本体（以下、単に「基板」という。）１２と、当該基板１２に複数のＬＥＤ１３、一つの丸ピン用の雌端子３７、および二つの平ピン用の雌端子４７が実装されている。また、基板１２の二つの雌端子４７の間は、凹部１２ｃが設けられ、また、雌端子４７の基板両側端は切り欠き１２ａが設けられている。
なお、図１５中、背面図を省略しているが、背面図は正面図と基板１２について左右対称であってその他の部品は非実装である。
【００４６】
（蛍光管の口金３４側の口金部構造）
次に、本実施の形態に係る蛍光管の口金３４側の口金部構造の実施例を図を参照しながら説明する。
【００４７】
図１６は、図１５のＡ−Ａ部分の拡大斜視図である。この図に示すように、基板１２の一端には、基板１２の幅方向の中央に一個の雌端子３７が取り付けられている。
【００４８】
この雌端子３７は、図１７に示すように、基板１２に固定・接続されるベース３７ａと、ベース３７ａの両幅縁部から互いに接近するように立ち上がる一対の保持片３７ｂと、ベース３７ａの一幅縁部から立ち上がり保持片３７ｂに対して口金本体の反対側にコの字形状に形成された保持片３７ｃと、を一体に備えている。ベース３７ａと両保持片３７ｂは、断面略三角形状になっており、後述する口金本体３５側の雄端子３８と係合する。保持片３７ｃは、製造時において、図示しない製造装置がその上面を吸着して、雌端子３７を搬送するのに使用される。
【００４９】
第１の実施の形態と同様、雌端子３７は、予めハンダが供給された基板１２の上面に配置・加熱されるリフローハンダにより基板１２に固定されており、基板１２の配線部分とベース３７ａとが直接電気的に接続することで導電ピン等の位置決めや基板１２の裏面での固定作業といった面倒な作業を廃止している。
【００５０】
図１８、図２２において、口金本体３５は、絶縁性のある合成樹脂の一体成形により形成され、端子ピン３６をインサート成形により保持している。口金３４は、図１９に示すように、この口金本体３５と、管体１１をインロー方式で嵌めて支持する管体保持部３５ｂとで構成される。管体保持部３５ｂは加工のしやすい金属性にすることができるが、材質はこれに限らない。
【００５１】
この口金本体３５は基板１２の上面と側面を支持する一対の上側面支持部３２と、基板１２の底面を支持する一対の底面支持部３３と、端子ピン３６と、端子ピン３６の裏面側（基板側）に形成された雄端子３８と、これら支持部３２，３３や端子ピン３６、雄端子３８を保持固定し口金３４の端面の一部を形成する保持部３５ｃから構成されている。
【００５２】
図１８に示すように保持部３５ｃの端面から突出する雄端子３８の長さは上側面支持部３２や底面支持部３３の長さよりも短くなっている。また、上側面支持部３２には、基板１２の両側面を支持する側面ガイド３２ａと、基板１２の上面を支持する上面ガイド３２ｂとが形成され、底面支持部３３には、基板１２の底面を支持する底面ガイド３３ａが形成されている。
【００５３】
さらに、図２０に示すように雌端子３７は基板１２の口金本体３５方向の端１２ｂから所定長Ｘ離れた位置に取り付けられている。
雌端子の基板端１２ｂからの距離をＸ、側面ガイド３２ａ（上側面支持部３２の下辺）の長さをＹ、雄端子３８の保持部３５ｃ端面からの長さをＺとすると、Ｚ＜Ｘ＋Ｙの関係を満たし、基板側面が側面ガイドに到達した後に、雄端子と雌端子とが接触するように形成されている。
【００５４】
端子ピン３６は、第１の実施の形態と同様に、図２１に示すように、導電性の材料から中空又は中実の丸ピン形状の雄端子３８が一体に形成されている。また、端子ピン３６と雄端子３８との境界部分には、例えば、端子ピン３６をソケットに挿入する際や、雌端子３７に雄端子３８を挿入する際の軸線方向に沿う荷重に対して口金本体３５からズレたり脱落することを防止するため、凹部３９が一体に形成されている。
【００５５】
次に、図２２を用いてＬＥＤ照明装置用基板５２を口金本体３５へ組み付けるときの説明をする。製造作業者は、まずＬＥＤ照明装置用基板５２をやや上方向から二つの上側面支持部３２の間に配置し、底面支持部３３の底面ガイド３３ａで基板底面を支えながら雄端子３８方向へスライド挿入する。そして、基板１２の側面が側面ガイド３２ａに到達したときは、まだ雄端子３８と雌端子３７は接触せず、その位置からさらに押し込まれたときに、接触し係合状態が完成する。したがって、雄端子３８と雌端子３７とは、少なくとも底面ガイド３３ａと側面ガイド３２ａによって、正確な位置に導かれながら係合することになる。基板端面１２ｂが保持部３５ｃの後壁に当接することにより奥行き方向の位置決めが完了し、基板１２と口金３４との組み付け及び端子ピン３６、雄端子３８、雌端子３７、および基板１２の導通状態が確保される。
【００５６】
また、係合状態では、図２２（ｂ）に示すように、基板１２は、上側面支持部３２の側面ガイド３２ａ、上面ガイド３２ｂや底面支持部３３の底面ガイド３３ａによって保持される。
【００５７】
なお、雄端子３８と雌端子３７とが接触する前に、基板１２が上面ガイド３２ｂに到達するように上側面支持部３２の寸法を決めても良いが、基板１２を底面支持部３３上に置き、基板の側面と底面をガイドに沿ってスライド挿入させることにより雌端子３７に位置ずれによる無理な力を掛けることなく、雄端子３８と雌端子３７とを係合させることができるので、両端子が接触した後に基板上面が上面ガイド３２ｂに到達するようにしても良い。
【００５８】
本実施例によれば、底面ガイド３３ａと雄端子３８とで、雌端子３７のベース３７ａと基板１２とを適度な圧力をもって押圧せしめることが可能となる。これにより接着強度を維持することができ、信頼性の高い口金を実現することができる。
【００５９】
（蛍光管の口金４４側の口金部構造）
次に、本実施の形態に係る蛍光管の口金４４側の口金部構造の実施例を図を参照しながら説明する。
【００６０】
図２３は、図１５のＢ−Ｂ部分の拡大斜視図である。この図に示すように、図１４に示す基板１２の他端には、基板１２の幅方向に所定間隔を存して一対の雌端子４７が設けられている。
【００６１】
この雌端子４７は、図２４に示すように、ベース４７ａ、ベース４７ａの両幅縁部から互いに垂直に折り曲げられた一対の保持片４７ｂ、各保持片４７ｂをさらに内側へ９０度折り曲げて基板への取付面４７ｃを形成している。
【００６２】
保持片４７ｂの雄端子４８側は、両内側に「くの字」に折り曲げられ平板状の雄端子を接触挟持する接触片４７ｄが形成されている。
【００６３】
さらにベース４７ａの接触片４７ｄ上部には、接触片を覆うように保護片４７ｅが形成されている。この保護片４７ｅは、基板の着脱時に接触片４７ｄを保護するのみでなく、製造時に製造装置によって吸着搬送されるために利用される。
【００６４】
雌端子４７の取付面４７ｃは、予めハンダが供給された基板１２の上面に配置・加熱されるリフローハンダにより基板１２に固定されており、基板１２の配線部分と取付面とが直接電気的に接続される。
【００６５】
口金本体４５は、絶縁性のある合成樹脂の一体成形により形成され、一対の平板ピン４６をインサート成形により保持している。口金４４は、図２５に示すように、この口金本体４５と、管体１１を嵌めて支持する管体保持部４５ｂとで構成される。
【００６６】
図２６、図２７に示すように、この口金本体４５は基板１２の上面と側面を支持する上側面支持部４２と、基板１２の底面を支持する底面支持部４３と、一対の端子ピン４６と、端子ピン４６の裏面側（基板側）に形成された雄端子４８と、これら支持部４２，４３や端子ピン４６、雄端子４８を保持固定し口金４４の端面の一部を形成する保持部４５ｃから構成されている。
【００６７】
図２６に示すように保持部４５ｃの端面から突出する雄端子４８の長さは上側面支持部４２や底面支持部４３の長さよりも短くなっている。
【００６８】
また、上側面支持部４２には、基板１２の両側面を支持する側面ガイド４２ａと、基板１２の上を支持する上面ガイド４２ｂとが形成され、底面支持部４３には、基板１２の底面を支持する底面ガイド４３ａが形成されている。なお、側面ガイド４２ａは、基板１２端部の矩形上の凹部１２ｃ内側の側面１２ｄを支持する。この側面１２ｄは、基板１２の外側の側面に平行に形成されている。
【００６９】
さらに、図２８に示すように雌端子４７は基板１２の口金本体４５方向の端から所定長Ｖ離れた位置に取り付けられている。
雌端子４７の基板端からの距離をＶ、側面ガイド４２ａ（上側面支持部４２の下辺）の長さをＴ、雄端子４８の保持部４５ｃ端面からの長さをＷとすると、Ｗ＜Ｖ＋Ｔの関係を満たし、基板側面が側面ガイドに到達した後に、雄端子と雌端子とが接触するように形成されている。なお、組み込み作業の効率から、雌端子３７，４７の基板端からの距離（Ｘ，Ｖ）は、１．５〜２．５ｍｍ程度であり、少なくとも側面ガイド，底面ガイドに沿って２ｍｍ程度以上挿入された時点で、雄端子３８，４８と接触するのが好ましい。
【００７０】
端子ピン４６は、図２９に示すように、導電性の材料から平板形状の一対の雄端子４８が一体に形成されている。また、端子ピン４６と雄端子４８との境界部分には、例えば、端子ピン４６をソケットに挿入する際や、雌端子４７に雄端子４８を挿入する際の軸線方向に沿う荷重に対して口金本体４５からズレたり脱落することを防止するため、凸部４９が一体に形成されている。
【００７１】
次に、図２７を用いてＬＥＤ照明装置用基板５２を口金本体４５へ組み付けるときの説明をする。製造作業者は、まず基板１２の凹部１２ｃの間に上側面支持部４２を入れながら、やや上方向から基板底面を底面支持部４３へ置き、底面支持部４３で基板底面を支えて雄端子４８の方向へスライド挿入する。そして、基板凹部１２ｃの両側面１２ｄが側面ガイド４２ａに到達したときは、まだ雄端子４８と雌端子４７は接触せず、その位置からさらに押し込まれたときに、接触し係合状態が完成する。したがって、雄端子４８と雌端子４７とは、少なくとも底面ガイド４３ａと側面ガイド４２ａによって、正確な位置に導かれながら係合する。基板端面１２ｂが保持部４５ｃの後壁に当接することにより奥行き方向の位置決めが完了し、基板１２と口金４４との組み付け及び端子ピン４６、雄端子４８、雌端子４７、および基板１２の導通状態が確保される。
【００７２】
なお、雄端子４８と雌端子４７とが接触する前に、基板１２が上面ガイド４２ｂに到達するように上側面支持部４２の寸法を決めても良いが、基板１２を底面支持部４３上において基板の側面と底面をガイドに沿ってスライド挿入させることにより雌端子４７に位置ずれによる無理な力を掛けることなく、雄端子４８と雌端子４７とを係合させることができるので、両端子が接触した後に基板上面が上面ガイド４２ｂに到達するようにしても良い。
【００７３】
本実施の形態によれば、リフローハンダにより雌端子３７，４７を固定化することにより滑らかな挿入を可能にするので、組み付け作業を簡素化することができる。また、組み付け作業では、少なくとも、側面ガイド３２ａ，４２ａと底面ガイド３３ａ，４３ａによって基板１２の位置を決めてからそれぞれ雄端子３８，４８を雌端子３７，４７へ挿入することになるので、組み付け作業時の雌端子３７，４７に不注意等による衝撃や力を及ぼさずに簡単かつ効率的に口金と基板との接続を行うことができる。さらに、組み付け完成状態では、上面ガイド３２ｂ，４２ｂ、側面ガイド３２ａ，４２ａ、および底面ガイド３３ａ，４３ａによって基板１２を保持するために、使用状態においてたとえ外部から衝撃が加わったとしても、雌端子３７，４７に無理な力が加わり基板から剥離してしまうことを防止することができる。
【符号の説明】
【００７４】
１０    ＬＥＤ照明装置（ＬＥＤ式蛍光管）
１１    管体
１２    基板
１２ａ  基板切り欠き
１２ｂ  基板端面
１２ｃ  基板凹部
１２ｄ  基板側面
１４，３４，４４  口金
１５,３５，４５  口金本体
１５ａ  露出部
１５ｂ  保持部
１５ｃ  鍔部
１５ｄ  基板挿入開口
１５ｅ，３２ａ，４２ａ  側面ガイド
１５ｆ，３３ａ，４３ａ  底面ガイド
１５ｇ，３２ｂ，４２ｂ  上面ガイド
１５ｈ  ヒケ防止用孔
１６    端子ピン
１７，２７，３７，４７  雌端子
１７ａ，２７ａ，３７ａ，４７ａ  ベース
１７ｂ，２７ｃ，３７ｂ，３７ｃ，４７ｂ  保持片
１７ｃ  挿入部
１８,２８，３８，４８  雄端子
１９    フランジ部
２７ｂ  縦壁
２９    鍔部
３０    突起部
３２，４２    上側面支持部
３３，４３    底面支持部
３５ｂ，４５ｂ    管体保持部
３５ｃ，４５ｃ    保持部
３６    丸ピン（端子ピン）
３９    凹部
４６    平板ピン（端子ピン）
４７ｃ    取付面
４７ｄ    接触片
４７ｅ    保護片（保護部）
４９    凸部
５２    ＬＥＤ照明装置用基板
【図１】
0005730632.tif 000002
【図２】
0005730632.tif 000003
【図３】
0005730632.tif 000004
【図４】
0005730632.tif 000005
【図５】
0005730632.tif 000006
【図６】
0005730632.tif 000007
【図７】
0005730632.tif 000008
【図８】
0005730632.tif 000009
【図９】
0005730632.tif 000010
【図１０】
0005730632.tif 000011
【図１１】
0005730632.tif 000012
【図１２】
0005730632.tif 000013
【図１３】
0005730632.tif 000014
【図１４】
0005730632.tif 000015
【図１５】
0005730632.tif 000016
【図１６】
0005730632.tif 000017
【図１７】
0005730632.tif 000018
【図１８】
0005730632.tif 000019
【図１９】
0005730632.tif 000020
【図２０】
0005730632.tif 000021
【図２１】
0005730632.tif 000022
【図２２】
0005730632.tif 000023
【図２３】
0005730632.tif 000024
【図２４】
0005730632.tif 000025
【図２５】
0005730632.tif 000026
【図２６】
0005730632.tif 000027
【図２７】
0005730632.tif 000028
【図２８】
0005730632.tif 000029
【図２９】
0005730632.tif 000030